(57)【要約】【課題】発電運転に必要な水が確保できない場合でも、メンテナンスを伴う装置の停止を回避することで、効率的な発電運転を行なうことができる燃料電池装置および燃料電池装置の制御方法、制御プログラムを提供する。【解決手段】本開示の燃料電池装置１００は、燃料電池モジュール１と、改質水を貯留する第一タンク（改質水タンク３）と、制御装置２０と、記憶装置３０とを備える。制御装置２０は、第一タンク（３）内の水位が、所定の下限水位未満である場合に運転を停止する第一運転停止制御と、所定の第一条件が満たされた場合に運転を停止する第二運転停止制御と、を実行可能である。前記第二運転停止制御の実行前に、累積運転停止回数と第一警告回数とを比較して、前記累積運転停止回数が前記第一警告回数以上である場合、前記第二運転停止制御を実行せず、燃料電池の発電運転を停止しない。【選択図】図２
2020092006.tif 000002
【特許請求の範囲】
【請求項１】
燃料電池と、
該燃料電池より排出される排ガスから回収した水を貯留する第一タンクと、
前記燃料電池を制御する制御装置と、
前記燃料電池の運転が停止した回数を累積して記憶する記憶装置と、を備え、
前記制御装置は、
前記第一タンク内の水位が、予め定められた下限水位未満である場合に、燃料電池の運転を停止する第一運転停止制御と、
所定の第一条件が満たされた場合に、燃料電池の運転を停止する第二運転停止制御と、を実行可能であり、
前記記憶装置に記憶された累積運転停止回数が、第一警告回数以上である場合、前記第二運転停止制御を実行しない、燃料電池装置。
【請求項２】
前記第一条件とは、
前記第一タンク内の水位が、前記下限水位と前記第一タンクの上限水位との間の位置に予め定められた、第一設定水位未満であり、かつ、
前記水の回収に関連する第一計測温度が、予め定められた第二設定温度以上である、ことである請求項１に記載の燃料電池装置。
【請求項３】
前記排ガスと熱交換される熱媒を貯留する第二タンクを備え、
前記第一計測温度とは、前記第二タンクの外部空間で測定された温度である、請求項２に記載の燃料電池装置。
【請求項４】
前記第一タンクに水を補給する水補給装置をさらに備え、
前記制御装置は、前記第一タンク内の水位が、前記第一設定水位未満であり、かつ、前記第一計測温度が、前記第二設定温度未満である場合に、
前記水補給装置により前記第一タンクへ水を補給する補水制御を実行する、請求項１に記載の燃料電池装置。
【請求項５】
前記所定の第一条件が満たされ、かつ、前記記憶装置に記憶された累積運転停止回数が、所定の第一警告回数未満である場合、
前記制御装置は、前記第二運転停止制御を実行した後、予め定められた待機時間経過後に、前記燃料電池の運転を再開する運転開始制御を実行し、
前記累積運転停止回数が、予め前記第一警告回数よりも複数回少ない回数に設定された第二警告回数以上である場合に設定される第一待機時間は、
前記累積運転停止回数が、前記第二警告回数未満である場合に設定される第二待機時間よりも長い、請求項１に記載の燃料電池装置。
【請求項６】
燃料電池と、水を貯留する第一タンクと、前記燃料電池を制御する制御装置と、前記燃料電池の運転が停止した回数を累積して記憶する記憶装置と、を備え、
所定の第一条件が満たされた場合に、燃料電池の運転を停止する運転停止ステップと、
前記記憶装置に記憶されている累積運転停止回数と、所定の第一警告回数とを比較する停止可能回数確認ステップと、を含み、
前記制御装置は、前記第一条件が満たされて、前記運転停止ステップが実行される前に、前記停止可能回数確認ステップを実行して、
前記累積運転停止回数が前記第一警告回数以上である場合は、前記運転停止ステップを実行せず、
前記累積運転停止回数が前記第一警告回数未満である場合は、前記運転停止ステップを実行する、燃料電池装置の制御方法。
【請求項７】
燃料電池を備える燃料電池装置を制御する制御装置およびそれに付随する記憶装置に、前記燃料電池の運転が停止した回数を累積して記憶装置に記憶する運転記録ステップと、
所定の第一条件が満たされた場合に、燃料電池の運転を停止する運転停止制御ステップと、
記憶装置に記憶されている累積運転停止回数と、所定の演算により得られる第一警告回数とを比較する停止可能回数確認ステップと、を実行させる制御プログラムであって、
前記運転停止制御ステップを実行する前に、前記停止可能回数確認ステップを実行して、
前記累積運転停止回数が前記第一警告回数以上である場合は、前記運転停止制御ステップを実行せず、
前記累積運転停止回数が前記第一警告回数未満である場合は、前記運転停止制御ステップを実行する、燃料電池装置の制御プログラム。
【発明の詳細な説明】
【技術分野】
【０００１】
本開示は、燃料電池装置および燃料電池装置の制御方法、制御プログラムに関する。
【背景技術】
【０００２】
燃料電池装置は、燃料電池から排出される燃焼排ガスに含まれる水蒸気が凝縮した凝縮水を、イオン交換樹脂等により浄化処理して、第一タンクである水タンクに貯留し、貯留された水を、天然ガス等の原燃料を水蒸気改質する改質器に、改質水として供給している。
【０００３】
このような、改質水を利用した燃料電池の運転や制御に関し、特許文献１には、たとえば外気温が高い等により、水タンクに貯留した改質水の量が不足する場合、燃料電池に供給する単位時間当たりの反応空気供給量を減らして、燃料電池の空気利用率を大きくすることが開示されている。これによれば、改質水となる、回収される凝縮水を増やして、貯留された水の量を回復させることができる。
【０００４】
また、特許文献２には、熱媒または冷媒である低温の水との熱交換によって凝縮水を生成する凝縮部を備える燃料電池装置において、水タンクに貯留した改質水の量に応じて、熱交換器に供給する熱媒の量を制御することが開示されている。これによっても、回収される凝縮水を増やして、貯留される改質水の量を回復させることができる。
【先行技術文献】
【特許文献】
【０００５】
【特許文献１】特開２００８−２３４８６９号公報
【特許文献２】特開２０１２−１１９０８６号公報
【発明の概要】
【発明が解決しようとする課題】
【０００６】
しかしながら、所定の水位を下回った後、水位を回復させる制御を所定時間行なってもなお、水位が回復しない場合、効率よく発電運転を行なうことができない場合があった。
【課題を解決するための手段】
【０００７】
本開示の燃料電池装置は、燃料電池と、該燃料電池より排出される排ガスから回収した水を貯留する第一タンクと、前記燃料電池を制御する制御装置と、前記燃料電池の運転が停止した回数を累積して記憶する記憶装置と、を備える。
前記制御装置は、前記第一タンク内の水位が、予め定められた下限水位未満である場合に、燃料電池の運転を停止する第一運転停止制御と、所定の第一条件が満たされた場合に、燃料電池の運転を停止する第二運転停止制御と、を実行可能である。
前記制御装置は、前記記憶装置に記憶された累積運転停止回数が、第一警告回数以上である場合、前記第二運転停止制御を実行しない。
【０００８】
また、本開示の燃料電池装置の制御方法は、燃料電池と、水を貯留する第一タンクと、前記燃料電池を制御する制御装置と、前記燃料電池の運転が停止した回数を累積して記憶する記憶装置と、を備える。
前記制御方法は、所定の第一条件が満たされた場合に、燃料電池の運転を停止する運転停止ステップと、  前記記憶装置に記憶されている累積運転停止回数と、所定の第一警告回数とを比較する停止可能回数確認ステップと、を含む。
前記制御装置は、前記第一条件が満たされて、前記運転停止ステップが実行される前に、前記停止可能回数確認ステップを実行して、前記累積運転停止回数が前記第一警告回数以上である場合は、前記運転停止ステップを実行せず、前記累積運転停止回数が前記第一警告回数未満である場合は、前記運転停止ステップを実行する。
【０００９】
また、本開示の制御プログラムは、燃料電池を備える燃料電池装置を制御する制御装置およびそれに付随する記憶装置に、前記燃料電池の運転が停止した回数を累積して記憶装置に記憶する運転記録ステップと、所定の第一条件が満たされた場合に、燃料電池の運転を停止する運転停止制御ステップと、記憶装置に記憶されている累積運転停止回数と、所定の演算により得られる第一警告回数とを比較する停止可能回数確認ステップと、を実行させる制御プログラムである。
前記制御プログラムは、前記運転停止制御ステップを実行する前に、前記停止可能回数確認ステップを実行して、前記累積運転停止回数が前記第一警告回数以上である場合は、前記運転停止制御ステップを実行せず、前記累積運転停止回数が前記第一警告回数未満である場合は、前記運転停止制御ステップを実行する。
【発明の効果】
【００１０】
本開示の燃料電池装置および燃料電池装置の制御方法、制御プログラムは、発電運転に必要な水が確保できない場合でも、効率的な発電運転を行なうことができる。
【図面の簡単な説明】
【００１１】
【図１】実施形態の燃料電池装置の概略構成図である。
【図２】実施形態の燃料電池装置における改質水の水量制御フローの前半である。
【図３】実施形態の燃料電池装置における改質水の水量制御フローの後半である。
【発明を実施するための形態】
【００１２】
以下、図面を参考にしながら、実施形態の燃料電池装置について説明する。
図１は、実施形態の燃料電池装置１００の構成の概略を示すブロック図である。
【００１３】
燃料電池装置１００は、天然ガス，ＬＰガス等の原燃料と空気とを使用して発電を行なう燃料電池モジュール１の稼動による電力供給と、熱交換器２、熱媒循環ポンプＰ２および第二タンクである蓄熱タンク４（貯湯タンクともいう）等からなる排熱回収システムを備える。なお、燃料電池装置は、温水の供給を行なわない、いわゆるモノジェネレーションシステムとしてもよい。
【００１４】
また、燃料電池装置１００は、前述の燃料電池モジュール１等の他、補機として、本開示の第一タンクである改質水タンク３、制御装置２０、制御装置に搭載された記憶装置３０と、第二タンクである蓄熱タンク４外部の空間の温度（気温）を測定する温度計ＴＭ１もしくはサーミスタ等を備える。
【００１５】
なお、本実施形態において温度計ＴＭ１が測定する、蓄熱タンク４の外部空間の温度は、水の回収に関連する温度（第一計測温度）の一例である。また、水の回収に関連する温度とは、水が回収しやすい状況にあるか否かを判断するための指標として利用可能な温度のことを指す。よって、上述の蓄熱タンク４の外部空間の温度以外にも、蓄熱タンク４の底部の温度や、後述する熱媒循環流路Ｆにおいてラジエータ５を通過した後の熱媒の温度を、温度計ＴＭ１で計測してもよい。
【００１６】
さらに、燃料電池装置１００は、流体（気体）の流路として、原燃料ポンプおよび原燃料流路等を含む原燃料供給装置と、空気ブロアおよび酸素含有ガス流路等を含む酸素含有ガス供給装置と、排ガス流路Ｅとを備える。
【００１７】
そして、流体（液体）の流路として、排ガスから回収した凝縮水を前述の改質水タンク３に流下させる凝縮水流路Ｃと、改質水タンク３と改質水供給ポンプＰ１および改質水流路Ｒを含む改質水供給装置と、先に述べた熱交換器２、蓄熱タンク４、ラジエータ５、熱媒循環ポンプＰ２とこれらを環状に接続する熱媒循環流路Ｆとからなる熱媒循環装置、および、排水流路Ｄを備える。
【００１８】
なお、改質水タンク３（第一タンク）には、外部水（水道水）を改質水タンク３に補給する水補給装置の一部を構成する、止水栓を含む水補給流路Ｗが接続されている。外部水（水道水）は、水補給流路Ｗの途中に配設されたイオン交換樹脂１４等の浄化装置により、塩素等の不純物が取り除かれた状態で、改質水タンク３（第一タンク）に給水（以下、補水）される。
【００１９】
また、改質水タンク３に貯留された改質水の水量制御に関連するセンサとしては、改質水タンク３の水位検出装置である、補水の要否を判断するための中水位位置に配置された水検知器Ｈ（Ｈセンサ）、および、運転停止の是非を判断するための低水位（渇水を意味する下限水位）位置に配置された水検知器Ｌ（Ｌセンサ）を備える。
【００２０】
燃料電池装置１００における、排ガスから回収した凝縮水（改質水）を用いた発電運転（いわゆる、水自立運転）について簡単に説明する。
【００２１】
発電運転中の燃料電池装置１００においては、燃料電池モジュール１に隣接して配置された熱交換器２で、モジュールから排出された排ガスと、熱交換器２内を流れる水等の熱媒との間で熱交換が行なわれ、排ガスに含まれる水分が結露して凝縮水が生じる。
【００２２】
生じた凝縮水は、気液分離器等により分離され、イオン交換樹脂１３等の浄化装置を経由して浄化された後、凝縮水流路Ｃを通じて、改質水タンク３に貯留される。一方、水分が取り除かれた排ガスは、排ガス流路Ｅを介して、燃料電池装置の外に排気される。
【００２３】
改質水タンク３に貯留された改質水は、改質水流路Ｒおよび改質水ポンプＰ１を介して、燃料電池モジュール１内の改質器１２に供給され、改質水を用いた原燃料の水蒸気改質に利用される。
【００２４】
ところで、先にも述べたように、燃料電池の発電運転中に、改質水タンク３に貯留された改質水の量が不足する場合がある。この場合、先に述べた特許文献１，２等に開示の燃料電池装置と同様、本実施形態の燃料電池装置１００においても、燃料電池に供給する反応空気供給量を減らして空気利用率を大きくする、あるいは、熱交換器に供給する熱媒の量を多くする等の制御により、回収される凝縮水の量を増やす運転（いわゆる、水回収運転制御）が行なうことができる。
【００２５】
しかしながら、何らかの理由により、凝縮水が回収されず、改質水タンク３内の改質水の水位が低下する場合がある。改質水タンク３の水位が、予め定められた下限水位である所定の低水位を下回った場合、燃料電池装置１００の制御装置２０は、燃料ガス（改質ガス）がセルスタックに供給されないことに起因する失火等により、燃料電池の温度が急激に低下して、セルスタックに損傷等が発生するのを防止するために、緊急に燃料電池の運転をシャットダウンする「第一運転停止制御」を実行する。
【００２６】
第一運転停止制御は、装置を守るためのフェイルセーフとして実行されるものであり、前述の水回収運転制御を実行している間に、改質水タンク３の水位が、発電運転継続の是非を判断するための低水位（渇水を意味する下限水位）位置を下回った場合、すなわち具体的には、前記下限位置に配置された改質水タンク３の水検知器Ｌ（図１ではＬセンサ）が水を検知しなくなった場合に、制御装置２０は、セルスタックに損傷が発生する可能性があると判断して、燃料電池の運転を即時に停止する第一運転停止制御を実行する。
【００２７】
しかしながら、燃料電池の運転をシャットダウンしてしまうと、メンテナンスを行なって運転再開が可能であるか否かを判断した後でなくては、発電運転を再開することができない。そのため、制御装置２０は、第一運転停止制御に至る前に、所定の第一条件が満たされている場合に、発電運転を停止する第二運転停止制御を実行することができる。
【００２８】
第二運転停止制御を実行することで改質水タンク３内の水位の低下を防ぎ、凝縮水が回収されやすい環境となってから、発電運転を再開することにより、効率よく発電運転を行なうことができる。ただし、この第二運転停止制御は、累積運転停止回数が第一警告回数以上である場合には、実行されない。
【００２９】
図２および図３は、第二運転停止制御を実行するかの判定を含む、燃料電池装置の制御のフローチャートである。
【００３０】
詳しく説明すると、図２，図３に示す一連の制御フローは、改質水タンク３内の改質水の水位が、前述の下限水位であるＬセンサ位置と上限水位であるタンクのオーバーフロー位置との間に設定された第一設定水位（図１のＨセンサ位置）を下回った場合、すなわち、改質水タンク３に配設された、補水の要否を判断する中水位位置に配置された水検知器Ｈが、水の存在を示す水検出信号を発信しなくなった場合に、「スタート」する。
【００３１】
なお、以下の説明では、各ステップを「Ｓ」と省略して呼称する。たとえば、ステップ１，ステップ２・・・は、それぞれ、〔Ｓ１〕，〔Ｓ２〕・・・と称する。図中も同じである。また、制御フローは、燃料電池装置１００の制御装置２０が備える記憶装置３０に記憶された制御プログラムに従って実行されるものである。制御装置２０および記憶装置３０の詳細構成についての説明は、後記で行なう。
【００３２】
さらに、制御装置２０は、制御フローおよびプログラムが実行可能か否かを判断するために、イオン交換樹脂等の浄化装置を経由して浄化された改質水の水質を、制御フローのスタート前に確認しておいてもよい。
【００３３】
フローがスタートすると、制御装置２０は、まず、〔Ｓ１〕および〔Ｓ２〕のループ制御により、前述の「水回収運転制御」の実施による改質水の水量回復が可能か否かを確認、見極めするための「待機」を実行する。すなわち、具体的には、改質水タンク３の水位が、水回収運転制御を行なっている第１時間（Ｔ１）の間、第一設定水位（Ｈセンサ位置）未満の状態が継続するか否かを、〔Ｓ１〕，〔Ｓ２〕のループ制御により確認する。
【００３４】
なお、上述の、改質水タンク３内の改質水の水位が、「第一設定水位未満」であることを確認する〔Ｓ２〕は、本開示の「第一条件」を構成する２つの条件（水位と温度）の一方の例である。他方の、２つめの条件である「温度」は、後記〔Ｓ３〕で説明する。
【００３５】
前述のループ制御中、〔Ｓ１〕において、この第１時間の間に、改質水タンク３の水位が、第一設定水位（Ｈ）以上に回復すれば、以降のステップを実行せず、通常の発電運転に復帰する〔Ｓ８〕。なお、第１時間（Ｔ１）の間とは、たとえば３時間程度の待機である。
【００３６】
一方、〔Ｓ２〕において、第１時間の間、中水位位置に配置された水検知器Ｈが、水の存在を示す水検出信号を発信せず、改質水タンク３の水位が第一設定水位（Ｈ）未満である状態が続いた［Ｙｅｓ］場合、制御装置２０は、〔Ｓ３〕において、「第一条件」を構成する２つめの条件（温度）である、第一計測温度を確認する制御に移行する。
【００３７】
前述の第一計測温度を測定する温度計ＴＭ１は、先にも述べたように、第二タンクである蓄熱タンク４外部の空間の温度（気温）を測定するためのものであり、燃料電池モジュール１と蓄熱タンク４とが、外装ケース等の１つの筐体内に配設されている場合、図１のように、その外装ケース内の空気温度、もしくは、ケース外の外気温を計測するように配設される。
【００３８】
また、蓄熱タンク４が、貯湯タンクとして、燃料電池モジュール１とは別の筐体（ケース）に収められている場合は、その筐体内の空気温度、もしくは、蓄熱タンク４が収容された筐体外部の外気温を計測するように配設される。
【００３９】
なお、本実施形態において、「第一条件」を満たす場合には、排ガスと熱交換される熱媒の温度が高く、凝縮水が回収されにくい場合であると判断できる。故に、熱媒の温度を直接測ってもよい。
【００４０】
そして、〔Ｓ３〕において、上記のような配置の温度計ＴＭ１が測定する第一計測温度、たとえばケース外の外気温等が、予め定められた第二設定温度以上［Ｙｅｓ］であれば、制御装置２０は、以上の２項目からなる第一条件が満たされたとして、運転停止回数を確認する〔Ｓ４〕に移行する。
【００４１】
なお、第二設定温度は、たとえばケース外の外気温の場合３８℃、ケース内の温度の場合４０℃程度に設定される。一方、〔Ｓ３〕において、第一計測温度が第二設定温度未満［Ｎｏ］であれば、制御装置２０は、前述の第一条件が満たされていないとして、〔Ｓ５〕以降の補水制御に移行する。
【００４２】
つぎに、制御装置２０は、〔Ｓ４〕において、現時点で燃料電池の発電運転の停止を実行するが否かを確認する制御を行なう。すなわち、〔Ｓ４〕においては、記憶装置３０に記憶された、燃料電池の累積運転停止回数が、「第一警告回数」以上であるか否かを確認する。
【００４３】
前述の第一警告回数とは、燃料電池装置の運転を停止することができる上限の回数である停止可能回数より、少ない回数である。たとえば、停止可能回数より１回少ない回数としてもよい。
【００４４】
燃料電池の累積運転停止回数が、第一警告回数未満である場合、制御装置２０は、前述の異常時のシャットダウンに相当する第一運転停止制御とは異なる「第二運転停止制御」を実行する。
【００４５】
一方、燃料電池の累積運転停止回数が、第一警告回数」以上である場合、制御装置２０は前述の異常時のシャットダウンに相当する第一運転停止制御とは異なる「第二運転停止制御」を実行しない。
【００４６】
上述の第二運転停止とは、燃料電池の運転を即時に停止する第一運転停止とは異なり、燃料電池装置の耐久性の低下を抑制するために、所定の手順を経て燃料電池装置の運転を停止させる制御である。
【００４７】
停止可能回数および第一警告回数は、演算により得られる変数としてもよい。たとえば、燃料電池装置が設置されてから経過した時間に比例して、当該回数が増加してもよい。
【００４８】
停止可能回数の具体例としては、初期値である停止可能回数１５回に、１時間あたり０．００２を乗じた回数を加えた回数とすることができ、第一警告回数としては当該停止可能回数より１回少ない回数とすることができる。
【００４９】
これにより、燃料電池装置が設置されてから経過した時間が長いほど、より多くの運転停止（回数）が可能になる。言い換えれば、時間の経過とともに停止可能回数および第一警告回数は増加する。
【００５０】
本実施形態において、累積運転停止回数が第一警告回数以上の場合には燃料電池装置は第二運転停止制御を行なわないため、累積運転停止回数が停止可能回数となることはない。一方、第二運転停止制御以外の制御により運転停止が実行されて、累積運転停止回数が停止可能回数となった（運転停止をできる上限の回数に達した）場合、時間の経過によって停止可能回数および第一警告回数が増加するまで、すなわち運転を停止できる環境となるまで、燃料電池装置は運転を再開することはできない。
【００５１】
図２のフローチャートには記載していないが、〔Ｓ４〕において、燃料電池の累積運転停止回数が第一警告回数を超えていることを、ユーザもしくは装置管理者等に情報発信するために、表示または音、合成音声などを用いた外部への連絡、通報、信号伝達等を含む発報制御を行なってもよい。
【００５２】
なお、〔Ｓ４〕の停止可能回数確認制御において、累積運転停止回数が、第一警告回数未満である場合、制御装置２０は、第二運転停止を実行し、スタンバイ状態〔Ｓ１０〕に移行する。これにより、以後の、改質水タンク３内の水位低下を防ぐことができる。また、このスタンバイ状態は、凝縮水が回収されやすい環境となるまで継続し、スタンバイ状態から発電開始に移行する条件については後述する。
【００５３】
つぎに、〔Ｓ４〕で第二運転停止を行なわなかった燃料電池装置１００は、〔Ｓ５〕〜〔Ｓ７〕において補水制御を実行し、燃料電池の発電運転を継続する。
【００５４】
すなわち、制御装置２０は、上述の〔Ｓ４〕において、累積運転停止回数が第一警告回数以上である［Ｙｅｓ］の場合、もしくは、先に述べた〔Ｓ３〕において、第一計測温度が第二設定温度未満の［Ｎｏ］である場合、〔Ｓ５〕において、外部水導入用の、水補給流路Ｗに配設された電磁開閉式の止水栓を開け、外部水である水道水を、イオン交換樹脂１４等を備える浄化装置を経由して改質水タンク３に導入し、給水（補水）を開始する。
【００５５】
ついで、制御装置２０は、〔Ｓ６〕のループ制御において、改質水タンク３の水位が、発電運転を継続可能な、第一設定水位（Ｈ）以上に回復したことを確認してから、〔Ｓ７〕で前述の止水栓を閉めて補水を停止し、通常の発電運転に復帰する〔エンド〕。
【００５６】
本実施形態は、上述した通り、「第一条件」が満たされた場合、すなわち凝縮水が回収されにくい環境にある場合に、凝縮水が回収されやすい環境となるまで発電運転を停止させる（第二運転停止制御）。イオン交換樹脂の寿命が尽きると、メンテナンスが必要となり、当該メンテナンスが完了するまでは、燃料電池装置の発電運転を行なえず、効率のよい運転をすることができない。
【００５７】
しかしながら、当該制御を行なうことで、繰り返し補水が行なわれてイオン交換樹脂の寿命が急激に短くなることを抑制できる。すなわち、イオン交換樹脂の寿命を延ばすことで、効率よく燃料電池装置を運転することができる。
【００５８】
ただし、本実施形態のように、「第二運転停止制御」が行なわれないからといって、直ちにメンテナンスが必要となる場合は想定されないため、必要に応じて「第二運転停止制御」を行なわないように燃料電池装置を制御してもよい。
【００５９】
また、本実施形態は、上述した通り、「第一警告回数」以上である場合、制御装置２０は「第二運転停止制御」を実行しない。これにより、運転停止をできる上限の回数に達してしまい、運転を停止できる環境となるまで、燃料電池装置は運転を再開できないといった、効率のよい発電運転が阻害されることを抑制できる。
【００６０】
すなわち、本実施形態における燃料電池装置は、改質水タンク３の水位が所定の水位を下回った後、水位を回復せしめる制御を所定時間してもなお水位が回復しない場合であっても、効率よく発電運転を行なうことができる。
【００６１】
他の実施形態として、補水を行なうことなく、水回収運転制御のみで所定水位まで水位を回復させようとする場合においても、「第一条件」が満たされた場合には、発電運転を停止させてもよい。これにより、早期に、燃料電池装置を、凝縮水が回収されやすい環境にすることで、効率のよい発電運転を行なうことができる。
【００６２】
さらに他の実施形態として、イオン交換樹脂の寿命が尽き（破過）た場合で、かつ、改質水タンク３内の水位が第一設定水位未満の場合に、運転を停止する制御を行なってもよい。当該場合においても、累積停止回数が「第一警告回数」以上である場合には、運転を停止する制御を行なわないようにしてもよい。
【００６３】
つぎに、図３に示すフローチャートは、図２の〔Ｓ４〕停止可能回数確認制御（ステップ）において、累積運転停止回数が第一警告回数未満で、第二運転停止制御が実行され、燃料電池装置がスタンバイ状態となった後の制御を説明するものである。
【００６４】
その〔Ｓ１１〕において、制御装置２０は、図２の〔Ｓ４〕と同様に、記憶装置３０に記憶された、現時点における燃料電池の累積運転停止回数が、前述の第一警告回数よりも複数回少ない回数に設定された第二警告回数以上であるか否かを確認する。
【００６５】
なお、〔Ｓ１１〕における累積運転停止回数の確認制御は、図３に示すように、以降の〔Ｓ１４〕〜〔Ｓ１７〕の制御・実行に変更を加えるものではなく、発電運転を再開するまでの「待機時間」を変更するものである。
【００６６】
すなわち、〔Ｓ１１〕において、燃料電池の累積運転停止回数が、第二警告回数以上［Ｙｅｓ］である場合、制御装置２０は、前述のスタンバイ状態（運転停止状態）のまま、たとえば１０日間（２４０時間）等、比較的長期間である第一待機時間の間、待機した後、〔Ｓ１４〕において、燃料電池の発電運転を再開する。
【００６７】
他方、〔Ｓ１１〕において、燃料電池の累積運転停止回数が、第二警告回数未満［Ｎｏ］の場合、制御装置２０は、前述のスタンバイ状態（運転停止状態）のまま、たとえば１日間（２４時間）等、比較的短期間である第二待機時間の間、待機した後、〔Ｓ１４〕において、燃料電池の発電運転を再開する。
【００６８】
そして、先述の第一待機時間は、前記第二待機時間より長く設定されている。この構成により、装置周辺で高温環境が続く際に、装置が短期間で起動−停止を繰り返し、累積停止回数が増加することを抑制できる。
【００６９】
上述の待機期間が終了したら、制御装置２０は、〔Ｓ１４〕において、運転開始（再開）制御を開始する。すなわち、制御装置２０は、内蔵する時計や通信回線を介した外部のタイムサーバ等から、日本標準時等の、燃料電池装置設置場所の標準時に基づく現在時刻、いわゆる現地時間を取得し、その現在時刻が、たとえば真夜中である午前２時や３時等の、比較的外気温が低いと推定される時間帯に予め設定された第１所定時刻を、前記待機期間終了後に初めて迎えた際に実行され、燃料電池装置は、前述のスタンバイ状態から、発電運転の再開に向けた起動準備制御へと、移行する。
【００７０】
運転再開に向けた運転開始制御は、まず、先述の〔Ｓ５〕と同様、〔Ｓ１５〕において、外部水導入用の、水補給流路Ｗに配設された電磁開閉式の止水栓を開け、外部水である水道水を、イオン交換樹脂等を備える浄化装置を経由して改質水タンク３に導入し、給水（補水）を開始する。
【００７１】
ついで、制御装置２０は、〔Ｓ１６〕のループ制御において、改質水タンク３の水位が、発電運転を継続可能な、第一設定水位（Ｈ）以上に回復したことを確認してから、〔Ｓ１７〕で前述の止水栓を閉めて補水を停止し、発電運転の準備を完了する〔エンド〕。
【００７２】
以上の構成により、実施形態の燃料電池装置１００は、効率的な発電運転を行なうことができる。
【００７３】
なお、燃料電池装置１００は、前述の燃料電池装置の制御およびそれに用いるプログラムを実行可能な、種々の機能を実行するための制御および処理能力を提供するために、少なくとも１つのプロセッサを含む制御装置２０を備える。
【００７４】
すなわち、種々の実施形態によれば、少なくとも１つのプロセッサは、単一の集積回路として、または、複数の通信可能に接続された集積回路および／もしくはディスクリート回路として、実行されてもよい。少なくとも１つのプロセッサは、種々の既知の技術にしたがって実行されることが可能である。
【００７５】
１つの実施形態において、プロセッサは、たとえば、関連するメモリに記憶された指示を実行することによって１以上のデータ計算手続または処理を実行するように構成された、１以上の回路またはユニットを含む。他の実施形態において、プロセッサは、１以上のデータ計算手続きまたは処理を実行するように構成された、ファームウェア、たとえばディスクリートロジックコンポーネントであってもよい。
【００７６】
種々の実施形態によれば、プロセッサは、１以上のプロセッサ、コントローラ、マイクロプロセッサ、マイクロコントローラ、特定用途向け集積回路、デジタル信号処理部、プログラマブルロジックデバイス、フィールドプログラマブルゲートアレイ、または、これらのデバイスもしくは構成の任意の組み合わせ、または、他の既知のデバイスおよび構成の組み合わせ、を含み、以下に説明される機能を実行してもよい。
【００７７】
制御装置２０は、記憶装置３０と、燃料電池モジュール１と、改質水供給装置と、補水装置、および、図示していないパワーコンディショナ、原燃料供給装置、酸素含有ガス供給装置等、さらに、水位検出装置や水質測定装置などの各種センサ、および表示装置等と接続され、これらの各機能部をはじめとして、燃料電池装置１００の全体を制御および管理する。
【００７８】
制御装置２０は、記憶装置３０に記憶されているプログラムを取得して、このプログラムを実行することにより、燃料電池装置１００の各部にかかる、種々の機能を実現する。また、表示装置は、制御装置２０からの指示信号に基づいて、指定された必要な情報および警報または警告等を、可視化する。なお、表示装置は、警報または警告等を音で知らせるための発音・発報機能を備えていてもよい。
【００７９】
制御装置２０から、他の機能部または装置に制御信号または各種の情報などを送信する場合、制御装置２０と他の機能部とは、有線または無線により接続されていればよい。
【００８０】
なお、本実施形態において、制御装置２０は特に、先に述べた、発電運転の起動−停止操作、および、運転停止回数および運転時間の積算、それらに伴う停止可能回数の演算・判定等を制御する。
【００８１】
記憶装置３０は、プログラムおよびデータを記憶できる。記憶装置３０は、処理結果を一時的に記憶する作業領域としても利用してもよい。記憶装置３０は、記録媒体を含む。記録媒体は、半導体記憶媒体、および磁気記憶媒体等の任意の非一時的（ｎｏｎ−ｔｒａｎｓｉｔｏｒｙ）な記憶媒体を含んでよい。
【００８２】
また、記憶装置３０は、複数の種類の記憶媒体を含んでいてもよい。記憶装置３０は、メモリカード、光ディスク、または光磁気ディスク等の可搬の記憶媒体と、記憶の読み取り装置との組合せを含んでいてもよい。記憶装置７は、ＲＡＭ（Ｒａｎｄｏｍ  Ａｃｃｅｓｓ  Ｍｅｍｏｒｙ）等の一時的な記憶領域として利用される記憶デバイスを含んでいてもよい。
【００８３】
そして、本実施形態において、記憶装置３０は特に、先に述べた、運転停止の積算回数および運転時間の積算時間等を、記憶あるいは記録する。
【００８４】
以上、詳述したように、本実施形態の燃料電池装置および燃料電池装置の制御方法、制御プログラムは、燃料電池装置１００が備える制御装置２０が、所定の第一条件が満たされた場合に、燃料電池の運転を停止する運転停止制御と、記憶装置３０に記憶された累積運転停止回数と所定の演算により得られる停止可能回数である第一警告回数とを比較してその大小を判定する停止可能回数確認制御と、を実行可能であり、前記運転停止制御の実行前に、前記停止可能回数確認制御を行なって、前記累積運転停止回数が前記停止可能回数である第一警告回数以上である場合、第一条件が満たされていても、前記運転停止制御を実行せず、前記累積運転停止回数が、前記第一警告回数未満である場合に、前記第一条件が満たされた際に、前記運転停止制御を実行するため、発電運転に必要な改質水の確保が難しい場合でも、効率的な発電運転を継続することができる。
【符号の説明】
【００８５】
１  燃料電池モジュール
３  改質水タンク（第一タンク）
４  蓄熱タンク（第二タンク）
２０  制御装置
３０  記憶装置
１００  燃料電池装置
Ｃ  凝縮水流路
Ｒ  改質水流路
Ｗ  水補給流路
Ｈ，Ｌ  水検知器
【図１】
2020092006.tif 000003
【図２】
2020092006.tif 000004
【図３】
2020092006.tif 000005